(57)【要約】【課題】室内に薬剤の薬効成分を充満できると共に、室側から水等がかかっても薬剤に混入することがないようにした室内建具とする。【解決手段】建具枠１に建具体２を開閉自在に設け、その建具枠１を室３の出入口４に取付けた室内建具において、前記建具枠１の各枠、建具体２の各框の少なくとも１つは空気流通路６を有し、この空気流通路６は一側開口部６ａで室３に開口連通し、他側開口部６ｂで出入側室５に開口連通して出入側室５から室３に空気流通路６を通して空気が流通するようにし、前記各枠、各框の少なくともいずれか１つに、薬剤を設けた薬剤取付部材７を、前記空気流通路６に突出し、その薬剤に空気が触れながら流れるように設けて薬剤の薬効成分が室３内に充満するようにし、前記各枠、各框の少なくともいずれか１つに水受け部材８を、前記室３側から空気流通路６に入り込んだ水等が薬剤取付部材７にかかることがないように設けて薬剤に水等が混入することがないようにした室内建具。【選択図】図３
2007315063.tif 000002
【特許請求の範囲】
【請求項１】
建具枠に建具体を開閉自在に取付け、室の出入口に取付けられる室内建具であって、
前記建具枠の各枠、建具体の各框の少なくとも１つは、一側開口部で前記室に開口連通し、他側開口部で出入側室に開口連通した空気流通路を有し、
この空気流通路に、薬剤を設けた薬剤取付部材を、その空気流通路を流通する空気が薬剤の薬効成分を含む空気となって一側開口部から室に流入するように設け、
前記空気流通路に水受け部材を、前記一側開口部から流入した水等が薬剤取付部材にかかることを防止するように設けたことを特徴とする室内建具。
【請求項２】
薬剤取付部材に水受け部材を一体的に設けた請求項１記載の室内建具。
【請求項３】
薬剤取付部材は、空気流通路を流通する空気が薬剤に触れながら流れる第１の状態と、その空気が薬剤と触れながら流れることがない第２の状態に切り換え可能である請求項１又は２記載の室内建具。
【請求項４】
薬剤取付部材は、空気が流通するベースと、このベースに着脱自在に取付けられ、薬剤が設けられたケースを備え、
そのベースが、各枠、各框の少なくとも１つに、空気流通路に突出して取付けられ、前記ケースは各枠、各框の少なくとも１つから取り出し自在である請求項１記載の室内建具。
【請求項５】
薬剤取付部材のベースは、ケース挿入部を有し、
このケース挿入部にケースを挿入、引き出し自在で、かつ挿入した状態で左右に移動自在に設けてケースをベースから取り出し自在とし、
前記ケース挿入部とケースは空気流通部をそれぞれ有し、
そのケースを左右一方に移動することでケース挿入部の空気流通部とケースの空気流通部が遮断して空気が薬剤に触れながら流れることがない状態となり、かつケースを左右他方に移動することでケース挿入部の空気流通部とケースの空気流通部が連通して空気が薬剤に触れながら流れる状態となるようにした請求項４記載の室内建具。
【請求項６】
建具体の下框を、上部框材と中間框材との間及び、中間框材と下部框材との間に空気流通路をそれぞれ有するガラリ形状とし、
その中間框材に薬剤取付部材と水受け部材を設けると共に、その中間框材を取り外し自在とした請求項１〜５いずれか１項に記載の室内建具。
【請求項７】
浴槽と浴室換気装置を備えていると共に、出入口に、請求項１ないし６のいずれかに記載の室内建具を設けたことを特徴とする浴室ユニット。
【発明の詳細な説明】
【技術分野】
【０００１】
本発明は、建物の浴室、居間、寝室、トイレ等の室の出入口に取付けられる室内建具、及び、その室内建具を備えた浴室ユニットに関する。
【背景技術】
【０００２】
従来から、建具枠に、ドア、障子、扉などの建具体を開閉自在に取付けた室内建具が種々提案されている。
例えば、特許文献１に、扉枠（建具枠）に、消臭剤や芳香剤を備えた扉（建具体）を開閉自在に取付け、室内を消臭、香り付けすることができるドア（室内建具）が提案されている。
【０００３】
【特許文献１】特開２００２−３８８４３号公報
【発明の開示】
【発明が解決しようとする課題】
【０００４】
従来、浴室は身体を洗うことを目的とする場所であったが、近年は体を洗うだけではなく、心と体のケアをする癒やしの空間として利用することが考えられている。
例えば、前述した従来のドアのように、浴室ドアの扉に収納部を形成し、その収納部にエッセンシャルオイルを含有したカートリッジを設けることで、扉の近くにエッセンシャルオイルの香り成分がただようようにすることが考えられる。
【０００５】
しかし、前述した従来のドアは、扉の収納部が連通孔で扉面に開口しているので、扉面に水等がかかると、その水等が連通孔から収納部内に流れ込む。このために、エッセンシャルオイルに水等が混入してエッセンシャルオイルの香り成分が減少したり、効能が低下するので、好ましくない。
【０００６】
本発明の目的は、薬剤の薬効成分を室内に充満させることが可能であると共に、室側から水等がかかっても、その水等が薬剤に混入することがないようにした室内建具及びこれを備えた浴室ユニットを提供することである。
【課題を解決するための手段】
【０００７】
本発明の室内建具は、建具枠に建具体を開閉自在に取付け、室の出入口に取付けられる室内建具であって、
前記建具枠の各枠、建具体の各框の少なくとも１つは、一側開口部で前記室に開口連通し、他側開口部で出入側室に開口連通した空気流通路を有し、
この空気流通路に、薬剤を設けた薬剤取付部材を、その空気流通路を流通する空気が薬剤の薬効成分を含む空気となって一側開口部から室に流入するように設け、
前記空気流通路に水受け部材を、前記一側開口部から流入した水等が薬剤取付部材にかかることを防止するように設けたことを特徴とする室内建具である。
【０００８】
本発明の室内建具においては、薬剤取付部材に水受け部材を一体的に設けることができる。
【０００９】
このようにすれば、薬剤取付部材を各枠、各框のいずれか１つに取付けることで水受け部材をも取付けできるので、その取付け作業が簡単である。
また、薬剤取付部材と水受け部材の位置関係が常に一定であるから、取付け誤差などによって水受け部材が位置ずれして水等が薬剤取付部材にかかることがない。
【００１０】
本発明の室内建具においては、薬剤取付部材は、空気流通路を流通する空気が薬剤に触れながら流れる第１の状態と、その空気が薬剤と触れながら流れることがない第２の状態に切り換え可能とすることができる。
【００１１】
このようにすれば、必要時にのみ薬剤の薬効成分を室に充満でき、必要でない時には薬剤に空気が触れながら流れないようにすることで、無駄に薬剤が消費されることがない。
【００１２】
本発明の室内建具においては、薬剤取付部材は、空気が流通するベースと、このベースに着脱自在に取付けられ、薬剤が設けられたケースを備え、
そのベースが、各枠、各框の少なくとも１つに、空気流通路に突出して取付けられ、前記ケースは各枠、各框の少なくとも１つから取り出し自在とすることができる。
【００１３】
このようにすれば、ベースは取付けたままの状態でケースを取り出しできるから、そのケースに薬剤を補充したり、異なる薬剤と交換する作業がやり易い。
また、この場合には、ベースに水受け部材を一体的に設けることで、ベースを取付けることで水受け部材を同時に取付けできる。
【００１４】
本発明の室内建具においては、ベースとケースで薬剤取付部材とした場合に、その薬剤取付部材のベースは、ケース挿入部を有し、
このケース挿入部にケースを挿入、引き出し自在で、かつ挿入した状態で左右に移動自在に設けてケースをベースから取り出し自在とし、
前記ケース挿入部とケースは空気流通部をそれぞれ有し、
そのケースを左右一方に移動することでケース挿入部の空気流通部とケースの空気流通部が遮断して空気が薬剤に触れながら流れることがない状態となり、かつケースを左右他方に移動することでケース挿入部の空気流通部とケースの空気流通部が連通して空気が薬剤に触れながら流れる状態となるようにできる。
【００１５】
このようにすれば、ケースを挿入、引き出しすることで取付け、取り外しできるので、その操作が簡単である。
また、ケースを左右一方又は左右他方に移動すれば、薬剤の薬効成分を室に充満したり、薬剤が無駄に消費されないようにでき、その操作が簡単である。
【００１６】
本発明の室内建具においては、建具体の下框を、上部框材と中間框材との間及び、中間框材と下部框材との間に空気流通路をそれぞれ有するガラリ形状とし、
その中間框材に薬剤取付部材と水受け部材を設けると共に、その中間框材を取り外し自在とすることができる。
【００１７】
このようにすれば、中間框材を取り外した状態で薬剤取付部材、水受け部材を、その中間框材に取付けできるので、その作業が簡単である。
また、中間框材を取り外しすることで上部框材、下部框材の空気流通路部分を簡単に清掃できると共に、中間框材自体を簡単に清掃できる。
【００１８】
本発明の浴室ユニットは、浴槽と浴室換気装置を備えていると共に、出入口に、本発明の室内建具を設けたことを特徴とする浴室ユニットである。
【発明の効果】
【００１９】
本発明の室内建具によれば、空気流通路を流れる空気が薬剤の薬効成分を含む空気となって一側開口部から室に流入するので、その薬剤の薬効成分を含む空気が室内に流入して充満させることができる。
したがって、薬剤をエッセンシャルオイルとすることで室内に香り成分が充満し、室内を癒やしの空間とすることができる。
また、室側から水等がかかって空気流通路に入り込んでも、その水等が薬剤取付部材にかかることがないので、その水等が薬剤に混入することがなく、薬剤の薬効成分が減少したり、効能が低下することがない。
【００２０】
本発明の浴室ユニットによれば、浴室換気装置を駆動して浴室内を換気することで、薬剤の薬剤成分を含む空気が浴室内に流入して充満する。
したがって、浴室内を癒やしの空間とすることができる。
また、浴室内の水等が薬剤に混入することがなく、薬剤の薬効成分が減少したり、効能が低下することがない。
【発明を実施するための最良の形態】
【００２１】
図１に示すように、建具枠１に建具体２を開閉自在に取付けて室内建具としてある。
前記建具枠１は、上枠１０、下枠１１、左右の縦枠１２を方形状に連結してある。
前記建具体２は、上框２０、下框２１、左右の縦框２２を方形状に連結した框組体２３に面材２４を装着してある。
前記建具枠１が図２に示すように室３の出入口４に取付けてあり、その室３に人が出入側室５から出入りできるようにしてある。
【００２２】
前記建具枠１の各枠、前記建具体２の各框における少なくとも１つ、例えば下框２１は空気流通路６を有する。
この空気流通路６は図２に示すように、室内建具の面外方向における前記室３と対向した面、つまり面外方向一側面（例えば建具体２の面外方向一側面２ａ）に開口した一側開口部６ａと、前記室内建具の面外方向における前記室３と反対側の出入側室５と対向した面、つまり面外方向他側面（例えば、建具体２の面外方向他側面２ｂ）に開口した他側開口部６ｂを有している。
そして、この空気流通路６を通して出入側室５と室３とに亘って空気が流通する。
例えば、室３内の空気を換気装置で室外に排出して室３内を換気することで、出入側室５内の空気が空気流通路６を通って室３内に流入する。
【００２３】
この実施の形態では、室内建具として浴室ドアを示し、図１は浴室側から見た正面図である。
そして、前述の建具枠１がドア枠で、建具体２がドアである。
前記室３が浴室で、出入側室５が脱衣室である。
前記浴室内の空気が浴室換気装置で屋外に排出され、脱衣室の空気が空気流通路６を通って浴室に流れる。
【００２４】
前記空気流通路６には図２に示すように薬剤取付部材７が設けてある。この薬剤取付部材７にはエッセンシャルオイルなどの薬剤が設けてあり、前述の空気流通路６を流通する空気の一部分が薬剤に触れながら流れることで薬剤の薬効成分を含む空気となる。
この薬剤の薬効成分を含む空気が一側開口部６ａから室３内に流入し、室３内に薬剤の薬効成分が充満する。
このようであるから、薬剤としてエッセンシャルオイルを用いることで室３内を癒やしの空間とすることができ、その室３内の人が芳香成分を体に取り入れて体調と精神の乱れを調整できる。
【００２５】
図２に示すように、前記空気流通路６における薬剤取付部材７よりも一側開口部６ａ寄りに、水受け部材８が設けてある。
この水受け部材８は薬剤取付部材７の下部と対向し、室３から一側開口部６ａに流入した水等は水受け部材８に当接して薬剤取付部材７にかかることがないようにしてある。
このようであるから、薬剤取付部材７に設けた薬剤に水等がかかって混入することがなく、その薬剤の薬効成分が減少したり、効能が低下することがない。
【００２６】
例えば、室内建具が前述のように浴室ドアの場合には、入浴時に浴室ドアの浴室側の面（面外方向一側面）に水等が飛散してかかることがあり、その水等は空気流通路６の一側開口部６ａに入り込む。
この水等は水受け部材８に当たって落下し、薬剤取付部材７まで流れ込むことがほとんどないので、その水等が薬剤取付部材７の薬剤に混入することはない。
【００２７】
次に、薬剤取付部材７、水受け部材８を具体的に説明する。
図３に示すように、前記薬剤取付部材７はベース３０と、ケース４０を備えている。
前記ベース３０は、空気流通路６を形成する室３側の面外方向一側板、例えば、下框２１の室３側の面外方向一側板２１ａに取付けてあると共に、このベース３０には空気流通路６内を流通する空気が流れるようにしてある。
前記ケース４０は前記ベース３０に着脱自在、例えば図３に仮想線で示すように挿入、引き出し自在に取付けられ、そのケース４０内に薬剤が設けられる。
そして、ケース４０をベース３０に取付けると、前記空気流通路６を流通する空気がケース４０に設けられた薬剤に触れて下方に流れ、その薬剤の薬効成分を含む空気が前述の一側開口部６ａから室３に流出する。
【００２８】
また、ケース４０をベース３０から引き出しすることで、薬剤を補充したり、他の種類の薬剤と交換できる。
【００２９】
前記水受け部材８の平面の大きさはベース３０の平面の大きさよりも大きく、この水受け部材８の面外方向一端部はベース３０の面外方向一端部に一体的に設けられてベース３０の下面と間隔を置いて対向している。
このようであるから、ベース３０を取付けることで水受け部材８を取付けできるので、その取付けが容易である。
また、ベース３０と水受け部材８の位置関係は常に同一で、取付誤差などによって位置ずれが生ずることがなく、薬剤に水等がかかって混入することを確実に防止できる。
【００３０】
前記ベース３０、ケース４０、水受け部材８の具体形状を図４、図５に基づいて説明する。
前記ベース３０はケース挿入部３１を有し、このケース挿入部３１の上面３１ａと下面３１ｂに空気流通部３２がそれぞれ形成してある。
例えば、ベース３０は、上面板３３と下面板３４と左右の側面板３５と背面板３６で前面が開口した箱形状で、その上面板３３、下面板３４に穴３７を形成して空気流通部３２としてある。
前記ケース４０は上面が開口した箱形状で、前記ベース３０のケース挿入部３１に挿入、引き出し自在である。
このケース４０の底面には空気流通部４１が形成され、このケース４０をベース３０のケース挿入部３１に挿入して取付けることでベース３０の空気流通部３２、ケース４０の空気流通部４１、ベース３０の空気流通部３２と空気が流れる。
【００３１】
前記ケース４０内に薬剤４２が設けられる。
この薬剤４２は、図４に示すように粒状としたものを多数充填して設けてある。
前記ケース４０は、前面に把手４２ａを有し、左右の側面に支持片４３が設けてある。
この支持片４３は弾性変位すると共に、折曲部４３ａを有し、ケース４０をベース３０のケース挿入部３１に挿入すると支持片４３が弾性変形し、その折曲部４３ａがベース３０の左右の側面板３５に形成した穴３５ａにそれぞれ係止してケース４０の抜け止めする。
そして、把手４２ａを持って強い力で引くと支持片４３が弾性変形して折曲部４３ａが穴３５ａから外れ、ケース４０を抜き出しできる。
【００３２】
前記ベース３０のケース挿入部３１の開口縁には水密材３８が四周連続して設けてある。
前記ケース４０には前記水密材３８に接するフランジ４４が設けてあり、ケース４０をベース３０のケース挿入部３１に挿入するとケース４０のフランジ４４が水密材３８に圧接してベース３０のケース挿入部３１の開口縁とケース４０のフランジ４４との間を水密し、ケース４０内に水等が浸入しないようにしてある。
【００３３】
前記水受け部材８は図４、図５に示すように、その平面の大きさがベース３０の平面の大きさよりも大きく、ベース３０の背面（背面板３６）、左右側面（側面板３５）よりもそれぞれ張り出している。
この水受け部材８は横板８ａと、その背面側縁と左右側面側縁に一体的に設けた下向きに傾斜して水返し片８ｂでほぼ下向き皿形状で、水等がかかった時に水返し片８ｂで、その水等を下方に落下できるようにしてある。
前記水受け部材８はベース３０の下面に垂下片８ｃを介して一体的に設けてある。
そして、ベース３０を面外方向一側板２１ａに形成した取付用開口４５に挿入して取付けると、水受け部材８は面外方向一側板２２ａの下端面より空気流通路６内に突出する。
【００３４】
この実施の形態における下框２１は図３に示すように、上部框材５０と中間框材５１と下部框材５２を備えた換気框といわれるガラリ形状で、その上部框材５０と中間框材５１との間、中間框材５１と下部框材５２との間に空気流通路６をそれぞれ形成している。
前記中間框材５１の下部寄りに薬剤取付部材７と水受け部材８が取付けてある。なお、中間框材５１の上部寄りにも薬剤取付部材７と水受け部材８を取付けても良い。
前記上部框材５０と下部框材５２は図６に示すように左右の縦框２２にビスで固着され、中間框材５１は着脱自在に取付けられる。
例えば、図６、図７に示すように中間框材５１の左右両端部に支持枠５３をそれぞれ取付け、左右の縦框２２にガイドアタッチメント５４を取付ける。
このガイドアタッチメント５４の上部溝５４ａと下部溝５４ｂに、支持枠５３の上部ピン５３ａと下部ピン５３ｂを嵌め込むことで中間框材５１を取付ける。
【００３５】
図６に示すように、中間框材５１が前述の面外方向一側板２１ａで、その中間框材５１に取付用開口４５が形成してある。
そして、水受け部材８を備えたベース３０を取付用開口４５に挿入して取付け、そのベース３０のケース挿入部３１にケース４０を挿入して取付ける。
【００３６】
このようであるから、中間框材５１を左右の縦框２２（つまり、框組体２３）から取り外した状態で、ベース３０を取付け、取り外しできるから、薬剤取付部材７の取付け、取り外しが簡単である。
また、室内建具が浴室ドアの場合には、下框２１の空気流通路６には塵埃との付着による汚れが生じるが、前述のように中間框材５１を取り外しすることで、その空気流通路６を形成する上部框材５０の内面、下部框材５２の面内及び中間框材５１を簡単に清掃できる。
【００３７】
図３に示すように、中間框材５１の下部寄りに薬剤取付部材７と水受け部材８を、下の空気流通路６に突出して取付けしたが、中間框材５１の上部寄りに薬剤取付部材７と水受け部材８を、上の空気流通路６に突出して取付けしても良いし、中間框材５１の上部寄りと下部寄りに前述のように取付けしても良い。
【００３８】
前述の実施の形態では薬剤取付部材７は、空気が常時薬剤４２に触れながら流れる構成としてあるが、薬剤４２に空気が触れながら流れる状態と触れながら流れることがない状態に切り換え可能な構成としても良い。
このようにすれば、必要な場合にのみ薬剤４２に空気が触れながら流れて薬剤の薬効成分を含む空気を室３内に充満し、必要でない場合には薬剤４２に空気が触れながら流れないようにして薬剤が無駄に消費されないようにできる。
【００３９】
例えば、図８に示すようにベース３０のケース挿入部３１の下面３１ｂ（下面板３４）にスリット状の複数の穴３７を左右方向に間隔を置いて形成して空気流通部３２とする。
前記ケース４０の底面にスリット状の複数の穴４６を左右方向に間隔を置いて形成して空気流通部４１とする。
そして、前記ケース４０はベース３０のケース挿入部３１内に挿入した状態で左右移動自在で、そのケース４０を図９に示すように左右一方（右方）に移動すると、ベース３０の穴３７とケース４０の穴４６が左右にずれてベース３０の穴３７がケース４０で閉塞されて空気が流れないようになる。
これによって、薬剤に空気が触れながら流れることがない状態となる。
【００４０】
図１０に示すように、ケース４０を左右他方（左方）に移動するとベース３０の穴３７とケース４０の穴４６が連通して空気が流れるようになる。
これによって、薬剤に空気が触れながら流れる状態となる。
【００４１】
前述の各実施の形態では、下框２１に空気流通路６を形成し、その空気流通路６に薬剤取付部材７と水受け部材８を取付けしたが、これに限ることはなく、上框２０、縦框２２又は上枠１０、下枠１１、縦枠１２のいずれかに空気流通路を形成して薬剤取付部材７と水受け部材８を取付けしても良い。
【００４２】
例えば、図１１に示すように上枠１０を面内方向外側の外側上枠材１０ａと面内方向内側の内側上枠材１０ｂとの間に空気流通路６を有する形状とする。
前記空気流通路６は一側開口部６ａで室３に開口連通し、他側開口部６ｂで出入側室５に開口連通している。
そして、外側上枠材１０ａの他側開口部６ｂ寄りに薬剤取付部材７と水受け部材８を取付ける。
この場合には水受け部材８は薬剤取付部材３０よりも一側開口部６ａ寄りに位置するので、その水受け部材８は薬剤取付部材７よりも上方に位置し、室３側から空気流通路６に浸入した水等が薬剤取付部材７にかかることがないようにしてある。
【００４３】
また、図１２に示すように縦枠１２を面内方向外側の外側縦枠材１２ａと面内方向内側の内側縦枠材１２ｂとの間に空気流通路６を有する形状とする。
この空気流通路６は一側開口部６ａで室３に開口連通し、他側開口部６ｂで出入側室５に開口連通する。
そして、内側縦枠材１２ｂの他側開口部６ｂ寄りに薬剤取付部材７を取付ける。
この場合には内側縦枠材１２ｂの一部分に水受け部材８を一体的に設ける。
【００４４】
前述の実施の形態では、薬剤取付部材７に水受け部材８を一体的に設けたが、これに限ることはなく、薬剤取付部材７と水受け部材８を別体としてそれぞれ別々に取付けるようにしても良い。
また、薬剤取付部材７をベース３０とケース４０で構成したが、これに限ることはなく、薬剤取付部材７をケース４０と同様な形状として着脱自在に取付けるようにしたり、空気流通路６を形成する部分の内面に一体的に設けるようにしても良い。
【００４５】
次に、浴室ユニットの実施の形態を図１３に基づいて説明する。
浴室ユニット６０は、浴槽６１と浴室換気装置６２を備えていると共に、その出入口６３に前述した本発明の室内建具６４が設けてある。
このようであるから、浴室換気装置６２を駆動することで室内建具６４の空気流通路６を通して薬剤の薬効成分を含有した空気が浴室内に流入して充満する。
したがって、薬剤としてエッセンシャルオイルを用いることで浴室内を癒やしの空間とすることができる。
また、浴室内から水等がかかった時に、その水等は水受け部材８にかかって薬剤取付部材７にかかることはない。
【００４６】
前記浴室ユニット６０を具体的に説明する。
床６５と壁６６と天井６７でユニット本体６８とする。
この天井６７に浴室換気装置６２を取付ける。
前記壁６６の一部分に出入口６３を形成し、室内建具６４の建具枠１を取付ける。
【００４７】
本発明に用いる薬剤としては、芳香剤、消臭剤など種々の薬効成分を有する薬剤が用いられる。
また、薬剤の形態としては粒状などの固形のもの、エッセンシャルオイルなどの液体が利用でき、固形の薬剤は薬剤取付部材７に直接充填できるし、液体の薬剤は薬剤取付部材７に吸液性のマットを設け、そのマットに含浸させて設けることができる。
【図面の簡単な説明】
【００４８】
【図１】本発明の実施の形態を示す浴室ドアの浴室側から見た正面図である。
【図２】図１の縦断面図である。
【図３】下框の拡大断面図である。
【図４】薬剤取付部材と水受け部材の断面図である。
【図５】薬剤取付部材のベースとケースを分離し、そのベースを断面した平面説明図である。
【図６】建具体の下框部分の分解斜視図である。
【図７】下框の中間框材を取り外した状態の断面図である。
【図８】薬剤取付部材の第２の実施の形態を示すベースとケースを分離し、ベースを断面した平面説明図である。
【図９】薬剤取付部材のケースを左右一方に移動した状態の平面図である。
【図１０】薬剤取付部材のケースを左右他方に移動した状態の平面図である。
【図１１】上枠に薬剤取付部材と水受け部材を設けた実施の形態を示す断面図である。
【図１２】縦枠に薬剤取付部材と水受け部材を設けた実施の形態を示す断面図である。
【図１３】浴室ユニットの実施の形態を示す断面図である。
【符号の説明】
【００４９】
１…建具枠、２…建具体、３…室（浴室）、４…出入口、５…出入側室（脱衣室）、６…空気流通路、６ａ…一側開口部、６ｂ…他側開口部、７…薬剤取付部材、８…水受け部材、３０…ベース、３１…ケース挿入部、３２…空気流通部、４０…ケース、４１…空気流通部、５０…上部框材、５１…中間框材、５２…下部框材、６０…浴室ユニット、６１…浴槽、６２…浴室換気装置、６３…出入口、６４…室内建具。
【図１】
2007315063.tif 000003
【図２】
2007315063.tif 000004
【図３】
2007315063.tif 000005
【図４】
2007315063.tif 000006
【図５】
2007315063.tif 000007
【図６】
2007315063.tif 000008
【図７】
2007315063.tif 000009
【図８】
2007315063.tif 000010
【図９】
2007315063.tif 000011
【図１０】
2007315063.tif 000012
【図１１】
2007315063.tif 000013
【図１２】
2007315063.tif 000014
【図１３】
2007315063.tif 000015